(57)【特許請求の範囲】
【請求項１】
無線ローカルエリアネットワークにて、フレームを送信する方法であって、
少なくとも１つの受信器が自動利得制御および概略的な周波数オフセットを推定するために用いられるレガシーショートトレーニングフィールド（ＳＴＦ）を生成するステップと、
前記少なくとも１つの受信器が正確な周波数オフセットを推定するために用いられるレガシーロングトレーニングフィールド（ＬＴＦ）を生成するステップと、
各受信器に共通する共通制御情報を含む第１の超ハイスループット（ＶＨＴ）制御フィールドを生成するステップと、
無線送信において、自動利得制御推定を向上するために用いられるＶＨＴ  ＳＴＦを生成するステップと、
無線チャネルを推定するために用いられるＶＨＴ  ＬＴＦを生成するステップと、
各受信器に特有の専用制御情報を含む第２のＶＨＴ制御フィールドを生成するステップと、
前記レガシーＳＴＦ、前記レガシーＬＴＦ、前記第１のＶＨＴ制御フィールド、前記ＶＨＴ  ＳＴＦ、前記ＶＨＴ  ＬＴＦおよび前記第２のＶＨＴ制御フィールドを順に含むフレームを生成するステップと、
前記フレームを前記少なくとも１つの受信器に送信するステップと、を含む方法。
【請求項２】
前記共通制御情報は、前記少なくとも１つの受信器を示す情報を含む、請求項１に記載の方法。
【請求項３】
前記専用制御情報は、前記フレームのデータ部分の長さを示す長さフィールドを含む、請求項２に記載の方法。
【請求項４】
前記専用制御情報は、さらに、前記フレームのデータ部分の変調および符号化方式（ＭＣＳ）を含む、請求項３に記載の方法。
【請求項５】
前記ＶＨＴ  ＳＴＦは、多入力他出力（ＭＩＭＯ）送信における自動利得制御推定の向上のために用いられる、請求項１に記載の方法。
【請求項６】
前記ＶＨＴ  ＬＴＦは、ＭＩＭＯチャネルの推定のために用いられる、請求項５に記載の方法。
【請求項７】
前記フレームは、物理階層集中プロシージャ（ＰＬＣＰ）プロトコルデータユニット（ＰＰＤＵ）である、請求項１に記載の方法。
【請求項８】
無線ローカルエリアネットワークにて、フレームを送信する無線装置であって、
少なくとも１つの受信器が自動利得制御および概略的な周波数オフセットを推定するために用いられるレガシーショートトレーニングフィールド（ＳＴＦ）を生成し、
前記少なくとも１つの受信器が正確な周波数オフセットを推定するために用いられるレガシーロングトレーニングフィールド（ＬＴＦ）を生成し、
各受信器に共通する共通制御情報を含む第１の超ハイスループット（ＶＨＴ）制御フィールドを生成し、
無線送信において、自動利得制御推定を向上するために用いられるＶＨＴ  ＳＴＦを生成し、
無線チャネルを推定するために用いられるＶＨＴ  ＬＴＦを生成し、
各受信器に特有の専用制御情報を含む第２のＶＨＴ制御フィールドを生成し、
前記レガシーＳＴＦ、前記レガシーＬＴＦ、前記第１のＶＨＴ制御フィールド、前記ＶＨＴ  ＳＴＦ、前記ＶＨＴ  ＬＴＦおよび前記第２のＶＨＴ制御フィールドを順に含むフレームを生成し、
前記フレームを前記少なくとも１つの受信器に送信するプロセッサを備える無線装置。
【請求項９】
前記共通制御情報は、前記少なくとも１つの受信器を示す情報を含む、請求項８に記載の無線装置。
【請求項１０】
前記専用制御情報は、前記フレームのデータ部分の長さを示す長さフィールドを含む、請求項９に記載の無線装置。
【請求項１１】
前記専用制御情報は、さらに、前記フレームのデータ部分の変調および符号化方式（ＭＣＳ）を含む、請求項１０に記載の無線装置。
【請求項１２】
前記ＶＨＴ  ＳＴＦは、多入力他出力（ＭＩＭＯ）送信における自動利得制御推定の向上のために用いられる、請求項８に記載の無線装置。
【請求項１３】
前記ＶＨＴ  ＬＴＦは、ＭＩＭＯチャネルの推定のために用いられる、請求項１２に記載の無線装置。
【請求項１４】
前記フレームは、物理階層集中プロシージャ（ＰＬＣＰ）プロトコルデータユニット（ＰＰＤＵ）である、請求項８に記載の方法。
【請求項１５】
少なくとも１つの受信器が自動利得制御および概略的な周波数オフセットを推定するために用いられるレガシーショートトレーニングフィールド（ＳＴＦ）と、
前記少なくとも１つの受信器が正確な周波数オフセットを推定するために用いられるレガシーロングトレーニングフィールド（ＬＴＦ）と、
各受信器に共通する共通制御情報を含む第１の超ハイスループット（ＶＨＴ）制御フィールドと、
無線送信において、自動利得制御推定を向上するために用いられるＶＨＴ  ＳＴＦと、  無線チャネルを推定するために用いられるＶＨＴ  ＬＴＦと、
各受信器に特有の専用制御情報を含む第２のＶＨＴ制御フィールドと、を含み、
前記レガシーＳＴＦ、前記レガシーＬＴＦ、前記第１のＶＨＴ制御フィールド、前記ＶＨＴ  ＳＴＦ、前記ＶＨＴ  ＬＴＦおよび前記第２のＶＨＴ制御フィールドが順に含まれる、フレーム構造。
【発明の詳細な説明】
【技術分野】
【０００１】
本発明は、マルチユーザ無線通信システムにおける送信効率向上のための制御及びトレーニングシンボル送信方法及び装置に関する。
【背景技術】
【０００２】
現在、無線通信システムでは高速の送信速度を有するための送信方式が議論されており、規格化されている。無線ＬＡＮ(Ｗｉｒｅｌｅｓｓ ＬＡＮ)システムでもこのような高速の送信速度を有するために、ＩＥＥＥ８０２.１１ ＴＧｎで多重入出力を有するＭＩＭＯシステムが適用された最大６００Ｍｂｐｓの送信速度を有する構造が規格化された。ＩＥＥＥ８０２.１１ ＶＨＴ ＳＧではＭＡＣ ＳＡＰで最大１Ｇｂｐｓ級の送信速度を有するシステムに対して議論され、ＩＥＥＥ８０２.１１ ＴＧａｃ/ＴＧａｄのＴａｓｋ Ｇｒｏｕｐが構成された。このような高速の送信速度を満たすと共に、周波数効率を維持するためには、ＡＰとＳＴＡは、ＴＧｎでサポートする４個より多いストリームをサポートしなければならないため、多くの数のアンテナが必要である。
【０００３】
然しながら、ＳＴＡ側面ではＳＴＡの複雑度や電力消耗を考慮してみる時、多くの数のアンテナをサポートするのが難しい。従って、ＡＰが同時に複数のＳＴＡに送信するマルチユーザ(Ｍｕｌｔｉ−ｕｓｅｒ)ＭＩＭＯを考慮している。
【０００４】
図１は、マルチユーザＭＩＭＯをサポートしつつ、ＴＧｎのような送信方式を維持する場合には、同時に送信するＳＴＡ間の干渉発生を説明するためのタイミング図である。
【０００５】
図１に示したように、二つ以上の端末に互いに異なるデータを同時に送信する場合、各端末に送信される互いに異なる情報が参照符号１０１のような領域で干渉が発生することができる。
【０００６】
また、各ＳＴＡは、ＳＴＡ別にチャネル状態や干渉程度に応じて、受信ＳＩＮＲが互いに異なるようになる。然しながら、現在、考慮されるフレーム構造でＬＴＦの数はストリーム数に応じてその数が決定され、シグナルフィールド(ＳＩＧ)は最小送信速度にそのＭＣＳが決定される。
【０００７】
ＩＥＥＥ８０２.１１ｎでは、１１ａ/ｇと互換性(ｂａｃｋｗａｒｄ ｃｏｍｐａｔｉｂｉｌｉｔｙ)を提供するための混合(ｍｉｘｅｄ)ＰＰＤＵフォーマット(ｆｏｒｍａｔ)があり、ＩＥＥＥ８０２.１１ｎのみサポートするグリーンフィールドフォーマット(ｇｒｅｅｎ ｆｉｅｌｄ ｆｏｒｍａｔ)がある。各ＳＴＡは、フレームのシグナルフィールド(ｓｉｇｎａｌ ｆｉｅｌｄ)に含まれている変調及び符号化方式(Ｍｏｄｕｌａｔｉｏｎ＆ｃｏｄｉｎｇ ｓｃｈｅｍｅ)、及び長さ(ｌｅｎｇｔｈ)情報としてネットワーク割当ベクトル(ＮＡＶ；Ｎｅｔｗｏｒｋ Ａｌｌｏｃａｔｉｏｎ Ｖｅｃｔｏｒ：(ＴＸＯＰ))情報を設定(ｓｅｔｔｉｎｇ)する。
【０００８】
然しながら、マルチユーザ(Ｍｕｌｔｉ−ｕｓｅｒ)ＭＩＭＯを適用する場合にはビーム形成されたフレームが各ＳＴＡに受信されるため、シグナルフィールド(ｓｉｇｎａｌ ｆｉｅｌｄ)のＭＣＳと長さ(ｌｅｎｇｔｈ)情報を正しく検出(ｄｅｔｅｃｔｉｏｎ)することができないＳＴＡが発生することで、隠れノード(ｈｉｄｄｅｎ ｎｏｄｅ)問題をより深刻にするという問題がある。
【発明の概要】
【発明が解決しようとする課題】
【０００９】
従って、本発明は、マルチユーザ(Ｍｕｌｔｉ−ｕｓｅｒ)ＭＩＭＯを使用する無線通信システムにおける隠れノード問題を解決するための装置及び方法を提供する。
【００１０】
また、本発明ではＶＨＴ−ＳＩＧを全てのＳＴＡが受信可能な共通シグナルフィールド(ｃｏｍｍｏｎ ｓｉｇｎａｌ ｆｉｅｌｄ)とビーム形成されたＳＴＡの情報を含む検出されたシグナルフィールド(ｄｅｄｉｃａｔｅｄ ｓｉｇｎａｌ ｆｉｅｌｄ)とに区分し、ＳＴＡ間にチャネル状態や干渉程度に応じて適切なＬＴＦとＳＩＧの構造を選択するようにし、グリーンフィールドモード(Ｇｒｅｅｎｆｉｅｌｄ ｍｏｄｅ)で隠れノード問題を減少させるための装置及び方法を提供する。
【課題を解決するための手段】
【００１１】
本発明の一実施例に係る方法は、マルチユーザ無線通信システムにおける制御及びトレーニングシンボル送信方法であって、互いに異なるデータを各端末に同時に送信する時、各データの要求送信率が各端末でチャネル推定を介して満たされるかを判断する過程；及び、前記判断結果、各データの要求送信率が満たされない場合、前記制御及びトレーニングシンボルを時間、周波数、及びコード領域の組合せを用いて端末別に区分することができるようにデータフレームを構成して各端末別に送信する過程；を含む。
【００１２】
本発明の他の実施例に係る方法は、マルチユーザ無線通信システムにおける制御及びトレーニングシンボル送信方法であって、互いに異なるデータを各端末に同時に送信する時、各データの要求送信率が各端末でチャネル推定を介して満たされるかを判断する過程；及び、前記判断結果、各データの要求送信率が満たされる場合、前記制御及びトレーニングシンボルを端末別に区分せずに重なるようにデータフレームを構成して各端末に送信する過程；をさらに含む。
【発明の効果】
【００１３】
本発明の効果は、次の通りである。
【００１４】
第一、チャネル状態がよくないＳＴＡは、ＬＴＦの長さを伸ばし(繰り返し)、ＶＨＴ−ＳＩＧ−Ｄに低いＭＣＳを適用したり、ＶＨＴ−ＳＩＧ−Ｄのシンボルを繰り返してＶＨＴ−ＳＩＧ−Ｄの検出性能を改善することができる。
【００１５】
第二、チャネル状態が優秀なＳＴＡは、ＶＨＴ−ＳＩＧ−Ｄを１個以上のストリームに送信し、高いＭＣＳを使用してＶＨＴ−ＳＩＧ−Ｄが占めるシンボル数を減らして送信効率を上げることができる。
【００１６】
第三 、ＳＴＡ間にＬＴＦを分離(ｃｏｏｒｄｉｎａｔｉｏｎ)してチャネル推定性能を向上させることができる。
【００１７】
第四、グリーンフィールドフォーマット(Ｇｒｅｅｎ−ｆｉｅｌｄ ｆｏｒｍａｔ)でビーム形成(ｂｅａｍｆｏｒｍｉｎｇ)による隠れノード(ｈｉｄｄｅｎ ｎｏｄｅ)問題を避けることができる。
【図面の簡単な説明】
【００１８】
【図１】マルチユーザ(Ｍｕｌｔｉ−ｕｓｅｒ)ＭＩＭＯをサポートしつつ、ＴＧｎのような送信方式を維持する場合、同時に送信するＳＴＡ間の干渉発生を説明するためのタイミング図である。
【図２】Ｍｏｄｅ ａにおいて、ＩＥＥＥ８０２.１１ａ/ｇ/ｎ/ＶＨＴ混合モード(ｍｉｘｅｄ ｍｏｄｅ)でＰＰＤＵフォーマットの例示図である。
【図３】Ｍｏｄｅ ａにおいて、ＩＥＥＥ８０２.１１ｎ/ＶＨＴ混合モードでＰＰＤＵフォーマットの例示図である。
【図４】本発明の一実施例によってグリーンフィールド(Ｇｒｅｅｎ−ｆｉｅｌｄ)ＰＰＤＵフォーマットの例示図である。
【図５】ＬＴＦを分離するＳＴＡのためのｍｏｄｅ ｂで混合モードフォーマット(ｍｉｘｅｄ ｍｏｄｅ ｆｏｒｍａｔ)のＰＰＤＵを示す。
【図６】ＬＴＦを分離するＳＴＡのためのｍｏｄｅ ｂでグリーンフィールドフォーマット(ｇｒｅｅｎ−ｆｉｅｌｄ ｆｏｒｍａｔ)のＰＰＤＵを示す。
【図７ａ】本発明の一実施例によって、各々、ｍｏｄｅ ｂ−１、ｍｏｄｅ ｂ−２、ｍｏｄｅ ｂ−３、ｍｏｄｅ ｂ−４の場合であり、ＬＴＦを分離する方法を説明するための例示図である。
【図７ｂ】本発明の一実施例によって、各々、ｍｏｄｅ ｂ−１、ｍｏｄｅ ｂ−２、ｍｏｄｅ ｂ−３、ｍｏｄｅ ｂ−４の場合であり、ＬＴＦを分離する方法を説明するための例示図である。
【図７ｃ】本発明の一実施例によって、各々、ｍｏｄｅ ｂ−１、ｍｏｄｅ ｂ−２、ｍｏｄｅ ｂ−３、ｍｏｄｅ ｂ−４の場合であり、ＬＴＦを分離する方法を説明するための例示図である。
【図７ｄ】本発明の一実施例によって、各々、ｍｏｄｅ ｂ−１、ｍｏｄｅ ｂ−２、ｍｏｄｅ ｂ−３、ｍｏｄｅ ｂ−４の場合であり、ＬＴＦを分離する方法を説明するための例示図である。
【図８ａ】本発明によってＬＴＦ一致過程を説明するための拡散行列の例示図である。
【図８ｂ】本発明によってＬＴＦ一致過程を説明するための拡散行列の例示図である。
【図８ｃ】本発明によってＬＴＦ一致過程を説明するための拡散行列の例示図である。
【図８ｄ】本発明によってＬＴＦ一致過程を説明するための拡散行列の例示図である。
【図８ｅ】本発明によってＬＴＦ一致過程を説明するための拡散行列の例示図である。
【図８ｆ】本発明によってＬＴＦ一致過程を説明するための拡散行列の例示図である。
【図８ｇ】本発明によってＬＴＦ一致過程を説明するための拡散行列の例示図である。
【図８ｈ】本発明によってＬＴＦ一致過程を説明するための拡散行列の例示図である。
【図９】本発明の好ましい実施例によってＰＰＤＵフォーマット決定のためのフローチャートである。
【発明を実施するための形態】
【００１９】
以下、添付図面を参照して本発明を説明する。本発明を説明するにあたって当業者に自明な部分に対しては本発明の要旨を不明にしないように省略する。また、以下、説明される各用語は、本発明の理解のために使われたものに過ぎず、各製造会社又は研究グループでは同じ用途にも拘わらず互いに異なる用語で使われることができるに留意しなければならない。
【００２０】
まず、マルチユーザＭＩＭＯの送受信信号は、以下の数式１のように表示することができる。
【００２１】
【数１】
0005380606.tif 000002
【００２２】
ここで、ｙは受信信号であり、Ｈはチャネルであり、Ｗは送信端の事前符号化マトリックス(ｐｒｅｃｏｄｉｎｇ ｍａｔｒｉｘ)であり、ｐはトレーニングシーケンス(ｔｒａｉｎｉｎｇ ｓｅqｕｅｎｃｅ)値であり、ｎはノイズ(ｎｏｉｓｅ)である。
【００２３】
もし、ＳＴＡ間に干渉をナリング(Ｎｕｌｌｉｎｇ)するＺＦ事前符号化(ｐｒｅｃｏｄｉｎｇ)方式を使用する場合、理想的な環境ではＳＴＡ間に干渉がない。然しながら、ＭＭＳＥ事前符号化(ｐｒｅｃｏｄｉｎｇ)のような方式を適用する場合、ＳＴＡ間に干渉(ｉｎｔｅｒｆｅｒｅｎｃｅ)が発生する。
【００２４】
２個のストリームを送信するＡＰ及び各々１個のストリームを受信する２個のＳＴＡがあると仮定すると、マルチユーザ(Ｍｕｌｔｉ−ｕｓｅｒ)ＭＩＭＯでトレーニングシーケンス(Ｔｒａｉｎｉｎｇｓｅqｕｅｎｃｅ)の送受信信号は、以下の数式２の通りである。
【００２５】
【数２】
0005380606.tif 000003
【００２６】
ここで、ＳＴＡ １及びＳＴＡ ２のチャネル推定は、各々、以下の数式３のように表示することができる。
【００２７】
【数３】
0005380606.tif 000004
【００２８】
数式３のように、各端末では相互間干渉が存在し、このような干渉はチャネルの相関程度に応じてエラーが激しくなる。このようなエラーを減らすためには、ＬＴＦを繰り返して長さを増加させたり、ＳＩＧのＭＣＳを低めたり、シンボル長さを増加させたり、ＬＴＦを分離(ｃｏｏｒｄｉｎａｔｉｏｎ)して送信する方法がある。また、チャネル状態が優秀な場合にはＭＣＳを高めてオーバーヘッド(ｏｖｅｒｈｅａｄ)を減らして送信する方法がある。
【００２９】
然しながら、前述されたエラーを減らす方法は、フレームで占めるＬＴＦのオーバーヘッド(ｏｖｅｒｈｅａｄ)が増加する。従って、このようなオーバーヘッド(ｏｖｅｒｈｅａｄ)を減らすために、ＬＴＦ繰り返し可否、ＳＩＧのＭＣＳ、ＬＴＦの分離可否を知らせるシグナルフィールド(ｓｉｇｎａｌ ｆｉｅｌｄ)が必要である。ＬＴＦの分離可否は、分離する全てのＳＴＡが知っていなければならない情報である。従って、特定ビーム形成でない全てのＳＴＡが受信可能に送信しなければならない。従って、ＶＨＴ−ＳＩＧの共通制御シグナル(ｃｏｍｍｏｎ ｃｏｎｔｒｏｌ ｓｉｇｎａｌ)と専用制御シグナル(ｄｅｄｉｃａｔｅｄ ｃｏｎｔｒｏｌ ｓｉｇｎａｌ)とに区分しなければならない。
【００３０】
本発明ではＶＨＴ−ＳＩＧの共通制御シグナル(ｃｏｍｍｏｎ ｃｏｎｔｒｏｌ ｓｉｇｎａｌ)を送信するフィールド(Ｆｉｅｌｄ)をＶＨＴ−ＳＩＧ−Ｃといい、ＶＨＴ−ＳＩＧの専用制御シグナル(ｄｅｄｉｃａｔｅｄ ｃｏｎｔｒｏｌ ｓｉｇｎａｌ)を送信するフィールド(Ｆｉｅｌｄ)をＶＨＴ−ＳＩＧ−Ｄという。また、ＬＴＦを分離しないＳＴＡのためのモードをｍｏｄｅａといい、ＬＴＦを分離するＳＴＡのためのモードをｍｏｄｅ ｂという。
【００３１】
ＡＰがＶＨＴ ＳＴＡでない１１ａ/ｇ/ｎ ＳＴＡをサポートするためのモードを１１ａ/ｇ/ｎ/ＶＨＴ混合モード(ｍｉｘｅｄ ｍｏｄｅ)といい、ＩＥＥＥ８０２.１１ｎをサポートするモードを１１ｎ/ＶＨＴ混合モード(ｍｉｘｅｄ ｍｏｄｅ)といい、ＩＥＥＥ８０２.１１ａ/ｇ/ｎをサポートしないモードをグリーンフィールド(ｇｒｅｅｎ−ｆｉｅｌｄ)モードという。各々の送信フレームフォーマットをＰＰＤＵフォーマット(ｆｏｒｍａｔ)という。以下、各々のモードで送信方法を説明する。
【００３２】
まず、Ｍｏｄｅ ａでの送信方法を説明する。
【００３３】
図２は、Ｍｏｄｅ ａにおいて、ＩＥＥＥ８０２.１１ａ/ｇ/ｎ/ＶＨＴ混合モード(ｍｉｘｅｄ ｍｏｄｅ)でＰＰＤＵフォーマットの例示図であり、図３は、Ｍｏｄｅ ａにおいて、ＩＥＥＥ８０２.１１ｎ/ＶＨＴ混合モードでＰＰＤＵフォーマットの例示図である。
【００３４】
図２及び図３では、共通区間(Ｃｏｍｍｏｎ Ｐｈａｓｅ)と専用区間(Ｄｅｄｉｃａｔｅｄ Ｐｈａｓｅ)を有し、両方ともＶＨＴ−ＳＩＧ−Ｃフィールドまでが共通区間に含まれ、その以後区間が専用区間に設定される。
【００３５】
まず、図２の(ａ)及び図３の(ａ)には、ＨＴ−ＳＩＧフィールド以後にＶＨＴ−ＳＩＧ−Ｃフィールド２１１、３１１が位置する場合を示している。また、図２の(ｂ)及び図３の(ｂ)には、ＶＨＴ−ＳＴＦフィールド以後にＶＨＴ−ＳＩＧ−Ｃフィールド２２１、３２１が位置する場合を示している。
【００３６】
次に、図２の(ｂ)及び図３の(ｂ)では、ＶＨＴ端末がＩＥＥＥ８０２.１１ｎフレームフォーマットを受信する場合、端末がＶＨＴ−ＳＩＧ−Ｃを検出(ｄｅｔｅｃｔｉｏｎ)する前には、そのフレームがＩＥＥＥ８０２.１１ｎフレームであるか、ＶＨＴフレームであるかを知ることができない。従って、ＶＨＴ−ＳＩＧ−Ｃのシンボル位置に自動利得制御(ＡＧＣ)のためのＶＨＴ−ＳＴＦがくることができることを考慮し、ＨＴ−ＳＩＧ後にＶＨＴ−ＳＴＦシンボルを送信し、その次にＶＨＴ−ＳＩＧ−Ｃがくることもできる。
【００３７】
次に、図２の(ｃ)及び図３の(ｃ)には、ＶＨＴ−ＬＴＦフィールド以後にＶＨＴ−ＳＩＧ−Ｃフィールド２３１、３３１が位置する場合を示している。図２の(ｃ)及び図３の(ｃ)では、ＶＨＴ−ＳＴＦを介して自動利得制御(ＡＧＣ)を実行した場合、ＶＨＴ−ＳＩＧ−Ｃの復調性能のために、ＶＨＴ−ＳＴＦ以後にＶＨＴ−ＬＴＦを送信し、その後にＶＨＴ−ＳＩＧ−Ｃフィールド２３１、３３１を送信する構造である。
【００３８】
最後に、図２の(ｄ)のように、Ｌ−ＳＩＧ後にＨＴ−ＳＩＧ無しにＶＨＴ−ＳＩＧ−Ｃフィールド２４１を送信することができる。その他、多様なＰＰＤＵフォーマットを有することができる。
【００３９】
また、図２の(ａ)〜(ｃ)、図３の(ａ)〜(ｃ)、及び図２の(ｄ)の場合、専用区間でＶＨＴ−ＳＩＧ−Ｄフィールド２１２、２２２、２３２、２４２、３１２、３２２、３３２を有することができる。
【００４０】
図４は、本発明の一実施例によってグリーンフィールド(Ｇｒｅｅｎ−ｆｉｅｌｄ)ＰＰＤＵフォーマットの例示図である。
【００４１】
図４の(ａ)及び図４の(ｂ)の場合、共通区間と専用区間とに区分することができ、共通区間と専用区間とは、各々ＶＨＴ−ＳＩＧ−Ｃフィールド４１１、４２１の以後に専用区間が開始されることによって区分される。従って、各々の専用区間で必要なＶＨＴ−ＳＩＧ−Ｄフィールド４１２、４２２が専用区間に位置している。
【００４２】
さらに詳細に説明すると、(ａ)の場合のように全てのＳＴＡが受信することができるＶＨＴ−ＳＩＧ−Ｃフィールド４１１を介してＶＨＴ−ＳＴＦ２とＶＨＴ−ＬＴＦ１、ＶＨＴ−ＳＩＧ−ＤとＶＨＴ−ＬＴＦ２フィールドの情報を伝達する。又は、(ｂ)の場合のようにＶＨＴ−ＳＩＧ−Ｃ４２１以後に自動利得制御(ＡＧＣ)が必要ない場合にはＶＨＴ−ＬＴＦ１が送信されることもできる。
【００４３】
図５は、ＬＴＦを分離するＳＴＡのためのｍｏｄｅ ｂで混合モードフォーマット(ｍｉｘｅｄ ｍｏｄｅ ｆｏｒｍａｔ)のＰＰＤＵを示し、図６は、ＬＴＦを分離するＳＴＡのためのｍｏｄｅ ｂでグリーンフィールドフォーマット(ｇｒｅｅｎ−ｆｉｅｌｄ ｆｏｒｍａｔ)のＰＰＤＵを示す。
【００４４】
図５及び図６でもＶＨＴ−ＳＩＧ−Ｃフィールド５１１、５２１、５３１、５４１、５５１、５６１、６１１、６２１、６３１、６４１を境界にして共通区間と専用区間とに区分される。また、以後に各々の専用区間でＶＨＴ−ＳＩＧ−Ｄフィールド５１２、５２２、５３２、５４２、５５２、５６２、６１２、６２２、６３２、６４２を含む。以下、各図面をさらに詳細に説明する。
【００４５】
図５の(ａ)、(ｂ)、(ｃ)、(ｄ)は、図２のＭｏｄｅ ａでの三つの場合と同様である。ＳＴＡ間分離は、Ｋ個の同時送信するＳＴＡの全てがすることもでき、ＳＴＡ ａからＳＴＡ ｂまでのように必要な数ほどすることもできる。図５の(ａ)ではＳＴＡ ２からＳＴＡ Ｋを分離した場合である。即ち、ＶＨＴ−ＳＩＧ−Ｄフィールド５２２、５３２は、ＶＨＴ−ＳＩＧ−Ｃとデータフィールド(Ｄａｔａ Ｆｉｅｌｄ)との間に任意の位置に位置することができ、ＶＨＴ−ＳＩＧ−Ｃの情報を介して位置を指定することもできる。このような事項は、図５の(ｂ)、(ｃ)、及び(ｄ)も、図５の(ａ)と同様の方式にＳＴＡを分離することができる。
【００４６】
次に、図６に対して説明する。図６の(ａ)及び(ｂ)は、図３のＭｏｄｅ ａでの三つの場合と同様である。ＳＴＡ間分離は、Ｋ個の同時送信するＳＴＡの全てがすることもでき、ＳＴＡ ａからＳＴＡ ｂまでのように必要な数ほどすることもできる。図６の(ａ)には、ＳＴＡ ２からＳＴＡ Ｋを分離した場合を示している。また、図６の(ｂ)でも図６の(ａ)と同様の方式にＳＴＡを分離することができる。この時、ＶＨＴ−ＳＩＧ−Ｄフィールド６１２、６２２、６３２、６４２は、ＶＨＴ−ＳＩＧ−Ｃとデータフィールド(Ｄａｔａ Ｆｉｅｌｄ)との間に任意の位置に位置することができ、該当フレームのＶＨＴ−ＳＩＧ−Ｃフィールドに含まれた情報を介して位置を指定することもできる。
【００４７】
以下、シグナルフィールド(ｓｉｇｎａｌ ｆｉｅｌｄ)に含まれる制御メッセージ(ｃｏｎｔｒｏｌ ｍｅｓｓａｇｅ)の例を説明する。
【００４８】
全てのＳＴＡが同じ情報を受信するＶＨＴ−ＳＩＧ１(ｃｏｍｍｏｎ ｃｏｎｔｒｏｌ ｓｉｇｎａｌ；ＶＨＴ−ＳＩＧ−Ｃ)に含まれる情報は、次の通りである。
【００４９】
ＶＨＴ−ＳＩＧ１(ＶＨＴ−ＳＩＧ−Ｃ)には次のような情報を含む。
【００５０】
(１)Ｍｏｄｅ ａ：ＬＴＦを分離しないＳＴＡ
【００５１】
− ＳＴＡ別に以下の情報を必要とする。
【００５２】
ａ)ＶＨＴ−ＬＴＦ１のシンボル数、繰り返し(ｒｅｐｅｔｉｔｉｏｎ)可否
【００５３】
ｂ)ＶＨＴ−ＬＴＦ２のシンボル数(ＶＨＴ−ＳＩＧ２(ＶＨＴ−ＳＩＧ−Ｄ)に含まれることも可能)
【００５４】
ｃ)ＶＨＴ−ＳＩＧ２(ＶＨＴ−ＳＩＧ−Ｄ)のＭＣＳ
【００５５】
ｄ)ＶＨＴ−ＳＩＧ２(ＶＨＴ−ＳＩＧ−Ｄ)のシンボル数、繰り返し(ｒｅｐｅｔｉｔｉｏｎ)可否
【００５６】
(２)Ｍｏｄｅ ｂ：ＬＴＦを分離するＳＴＡ
【００５７】
− ＬＴＦを分離するＳＴＡインデックス(ｉｎｄｅｘ)
【００５８】
− ＬＴＦの分離方法
【００５９】
− ＶＨＴ−ＬＴＦ１のシンボル数、繰り返し(ｒｅｐｅｔｉｔｉｏｎ)可否
【００６０】
− ＶＨＴ−ＬＴＦ２のシンボル数(ＶＨＴ−ＳＩＧ２(ＶＨＴ−ＳＩＧ−Ｄ)に含まれることも可能)
【００６１】
− ＶＨＴ−ＳＩＧ２(ＶＨＴ−ＳＩＧ−Ｄ)のＭＣＳ
【００６２】
− ＶＨＴ−ＳＩＧ２(ＶＨＴ−ＳＩＧ−Ｄ)のシンボル数、繰り返し(ｒｅｐｅｔｉｔｉｏｎ)可否
【００６３】
(３)グリーンフィールドモード(Ｇｒｅｅｎ−ｆｉｅｌｄ ｍｏｄｅ)の場合にはビーム形成による隠れノード(Ｈｉｄｄｅｎ ｎｏｄｅ)の問題を避け、ビーム形成を使用しないＳＴＡの場合のために追加に次のような情報を含む。
【００６４】
− ＭＣＳ、長さ(Ｌｅｎｇｔｈ)情報
【００６５】
− ＶＨＴ−ＳＴＦ２使用可否
【００６６】
(４)ＳＴＡが各々異なる情報を受信するＶＨＴ−ＳＩＧ２(ＶＨＴ−ＳＩＧ−Ｄ)には次のような情報を含む。
【００６７】
− ＭＣＳ、帯域幅(ＢＷ)、長く(Ｌｅｎｇｔｈ)、結合(ａｇｇｒｅｇａｔｉｏｎ)、短いガードインターバル(Ｓｈｏｒｔ ＧＩ)等、ＳＴＡのデータ領域のための情報
【００６８】
− ＶＨＴ−ＳＩＧ１に含まれている情報のうちＶＨＴ−ＬＴＦ２の構造は、ＶＨＴ−ＳＩＧ２に含ませることができる。
【００６９】
ＬＴＦを分離する方式は、時間、周波数、及びコード領域の分離によって、次のような方式がある。
【００７０】
− Ｍｏｄｅ ｂ−１：時間領域分離
【００７１】
− Ｍｏｄｅ ｂ−２：周波数領域分離
【００７２】
− Ｍｏｄｅ ｂ−３：時間、コード領域分離
【００７３】
− Ｍｏｄｅ ｂ−４：コード、周波数領域分離
【００７４】
図７ａ乃至図７ｄは、各々、ｍｏｄｅ ｂ−１、ｍｏｄｅ ｂ−２、ｍｏｄｅ ｂ−３、ｍｏｄｅ ｂ−４の場合であり、ＬＴＦを分離する方法を説明するための例示図である。
【００７５】
図７ａ乃至図７ｄの例として、４個のＳＴＡに同時に送信し、各ＳＴＡが１個のストリームを受信する場合である。図７ａは、ＳＴＡが時間領域の値である互いに異なるシンボルを用いて区分されて送信するように構成した例であり、図７ｂは、ＳＴＡが周波数領域の値である互いに異なる副搬送波(ｓｕｂｃａｒｒｉｅｒ)を用いて区分されて送信する例であり、図７ｃは、ＳＴＡが時間及びコード領域の値であるシンボルとシンボル軸へのＳＴＡ別に互いに異なるコードを用いて区分されて送信される例であり、図７ｄは、ＳＴＡが周波数及びコード領域の値である副搬送波と副搬送波軸へのＳＴＡ別に互いに異なるコードを用いて区分されて送信される例である。
【００７６】
図７ａ乃至図７ｄに示す各々の場合で、各ＳＴＡは、ｎ個のストリームを受信する場合は各ＳＴＡに該当するＬＴＦをＮ個に拡張し、これをＳＴＡ別に分離すればいいため、一個のストリームの場合から容易に類推することができる。Ｍｏｄｅ ｂ−１乃至Ｍｏｄｅ ｂ−４の組合せ以外にこれらＭｏｄｅの組合せから新たなＬＴＦ分離方式を構成することができ、このような構成は既存Ｍｏｄｅから容易に類推することができる。
【００７７】
ＬＴＦを分離する場合、送信信号Ｓは、以下の数式４のように表示することができる。
【００７８】
【数４】
0005380606.tif 000005
【００７９】
ここで、ｐはＬＴＦシーケンス(ｓｅqｕｅｎｃｅ)であり、ｎはシンボル領域に該当するシンボルインデックスである。ｃは、ＬＴＦを時間又は周波数又は時間/コード又は時間/周波数領域に拡散させるコードであり、拡散行列を構成する。このような拡散行列では、直交(Ｏｒｔｈｏｇｏｎａｌ)行列、ＤＦＴ行列、ユニタリ(Ｕｎｉｔａｒｙ)行列などが使われることができる。ｍは、空間領域に該当する空間時間ストリーム(ｓｐａｔｉａｌ ｔｉｍｅ ｓｔｒｅａｍ)インデックスであり、ＭＵ−ＭＩＭＯで同時に送信しようとするＳＴＡを全部分離して送信する場合、空間時間ストリーム(ｓｐａｔｉａｌ ｔｉｍｅ ｓｔｒｅａｍ)数の総和と同じである。ｗはＭＵ−ＭＩＭＯを送信するための事前符号化マトリックス(ｐｒｅｃｏｄｉｎｇ ｍａｔｒｉｘ)であり、ｇは送信アンテナインデックスである。
【００８０】
ＯＦＤＭの場合には周波数領域の単位である副搬送波(ｓｕｂｃａｒｒｉｅｒ)に拡張することができ、前記数式４では副搬送波インデックスは省略された。
【００８１】
例えば、モード(Ｍｏｄｅ)ｂ−１のように時間領域に拡散し、時間領域の単位がシンボルであると仮定すると、拡散行列は、対角(ｄｉａｇｏｎａｌ)成分のみその値を有し、非対角(ｏｆｆ−ｄｉａｇｏｎａｌ)成分は０となる。これを図８ａに示す。
【００８２】
図８ａは、モードｂ−１を時間領域に拡散し、時間領域単位をシンボルであると仮定した場合、拡散行列を示す例示図である。図８ａで、横軸はシンボル(Ｓｙｍｂｏｌ)であり、縦軸は空間時間ストリーム(Ｓｐａｔｉａｌ ｔｉｍｅ ｓｔｒｅａｍ)である。
【００８３】
また、例えば、モード(Ｍｏｄｅ)ｂ−２のように周波数領域に拡散し、周波数領域の単位が副搬送波であると仮定すると、拡散行列は、時間領域の拡張のように対角(ｄｉａｇｏｎａｌ)のみその値を有する。これを図８ｂに示す。
【００８４】
図８ｂは、モードｂ−２を周波数領域に拡散し、周波数領域の単位が副搬送波である場合、拡散行列を示す例示図である。図８ｂで、横軸は副搬送波(ｓｕｂｃａｒｒｉｅｒ)であり、縦軸は空間時間ストリーム(ｓｐａｔｉａｌ ｔｉｍｅ ｓｔｒｅａｍ)である。
【００８５】
また、例えば、モード(Ｍｏｄｅ)ｂ−３のように時間及びコード領域に拡散すると仮定し、時間領域の単位がシンボルであると仮定すると、拡散行列は、図８ｃのように示すことができる。
【００８６】
図８ｃは、モードｂ−３を時間及びコード領域に拡散し、時間領域の単位がシンボルである場合、拡散行列を示す例示図である。図８ｃで、横軸はシンボル(Ｓｙｍｂｏｌ)であり、縦軸は空間時間ストリーム(Ｓｐａｔｉａｌ ｔｉｍｅ ｓｔｒｅａｍ)である。
【００８７】
また、例えば、モード(Ｍｏｄｅ)ｂ−４のように、周波数及びコード領域に拡散し、周波数単位が副搬送波と仮定すると、拡散行列は図８ｄのように示すことができる。
【００８８】
図８ｄは、モードｂ−４を周波数及びコード領域に拡散し、周波数単位が副搬送波である場合、拡散行列を示す例示図である。図８ｄで、横軸は副搬送波(Ｓｕｂｃａｒｒｉｅｒ)であり、縦軸は空間時間ストリーム(Ｓｐａｔｉａｌ ｔｉｍｅ ｓｔｒｅａｍ)である。
【００８９】
以上で説明した方式を結合し、シンボルと副搬送波が結合された形態であるシンボル/副搬送波(ｓｙｍｂｏｌ/ｓｕｂｃａｒｒｉｅｒ)形態に容易に拡張して拡散行列を構成することができる。送信する総空間時間ストリーム(Ｓｐａｔｉａｌ ｔｉｍｅ ｓｔｒｅａｍ)を各ＳＴＡ別に割当を受けると仮定する場合、図８ｅのような形態に例示することができる。
【００９０】
図８ｅは、送信する総空間時間ストリームを各端末別に割当を受ける場合を示す。
【００９１】
図８ｅの例示を説明すると、ＳＴＡ １は２個の空間時間ストリーム(Ｓｐａｔｉａｌ ｔｉｍｅ ｓｔｒｅａｍ)を使用し、ＳＴＡ ２は３個の空間時間ストリーム(ｓｐａｔｉａｌ ｔｉｍｅ ｓｔｒｅａｍ)を使用し、ＳＴＡ Ｋは１個の空間時間ストリーム(Ｓｐａｔｉａｌ ｔｉｍｅ ｓｔｒｅａｍ)を使用する場合である。図８ｅに示すように、全てのＳＴＡが同じ数の空間時間ストリーム(Ｓｐａｔｉａｌ ｔｉｍｅ ｓｔｒｅａｍ)を使用する必要はない。
【００９２】
例えば、全体６個の空間ストリーム(Ｓｐａｔｉａｌ ｓｔｒｅａｍ)を３個のＳＴＡが各々２個の空間時間ストリーム(ｓｐａｔｉａｌ ｔｉｍｅ ｓｔｒｅａｍ)を使用し、拡散行列として離散フーリエ変換(ＤＦＴ)行列を使用した場合、各ＳＴＡ別拡散行列の割当は、図８ｆのように示すことができる。
【００９３】
図８ｆに示すように、横軸は空間時間ストリーム(Ｓｐａｔｉａｌ ｔｉｍｅ ｓｔｒｅａｍ)であり、縦軸はシンボル(Ｓｙｍｂｏｌ)又は副搬送波(Ｓｕｂｃａｒｒｉｅｒ)又はシンボル/副搬送波(Ｓｙｍｂｏｌ/Ｓｕｂｃａｒｒｉｅｒ)である。図８ｆの拡散行列では１番目の行と１番目の列の値が両方とも１になる。また、図８ｆに示す
【数５】
0005380606.tif 000006
の値を有することに留意しなければならない。
【００９４】
また、例えば、全体８個の空間時間ストリーム(Ｓｐａｔｉａｌ ｔｉｍｅ ｓｔｒｅａｍ)を４個のＳＴＡが各々２個の空間時間ストリーム(ｓｐａｔｉａｌ ｔｉｍｅ ｓｔｒｅａｍ)を使用し、実数(ｒｅａｌ)値を有するユニタリ(ｕｎｉｔａｒｙ)行列を拡散行列として使用した場合、各ＳＴＡ別拡散行列の割当は、図８ｇのように例示することができる。
【００９５】
図８ｇでも、横軸は空間時間ストリーム(Ｓｐａｔｉａｌ ｔｉｍｅ ｓｔｒｅａｍ)であり、縦軸はシンボル(Ｓｙｍｂｏｌ)又は副搬送波(Ｓｕｂｃａｒｒｉｅｒ)又はシンボル/副搬送波(Ｓｙｍｂｏｌ/Ｓｕｂｃａｒｒｉｅｒ)である。図８ｇに示すように、拡散行列の各エレメント値は任意の値を有することができ、前述したように、拡散行列は、離散フーリエ変換マトリックス(ＤＦＴ ｍａｔｒｉｘ)又はユニタリ(ｕｎｉｔａｒｙ)行列になることもできる。
【００９６】
ＭＵ−ＭＩＭＯで同時に送信しようとする空間時間ストリーム(Ｓｐａｔｉａｌ ｔｉｍｅ ｓｔｒｅａｍ)の数が４であり、２個のＳＴＡが各々２個の空間時間ストリーム(Ｓｐａｔｉａｌ ｔｉｍｅ ｓｔｒｅａｍ)を送信すると仮定すると、時間領域で必要なシンボルが４であればいいため、８×８行列のうち一部である４×４部分行列を適用し、図８ｈのように拡散行列の演算を実行することができる。
【００９７】
図９は、本発明の好ましい実施例によってＰＰＤＵフォーマット決定のためのフローチャートである。
【００９８】
ＡＰは、９００ステップで、サウンディング(ｓｏｕｎｄｉｎｇ)又はフィードバック(ｆｅｅｂａｃｋ)情報を介して各ＳＴＡのチャネル情報を収集する。以後、ＡＰは、９０２ステップで収集されたＳＴＡ別チャネルからプリコーディングアルゴリズム、例えば、ＺＦ、ＭＭＳＥ、Ｓｐｈｅｒｅ ｅｎｃｏｄｅｒなどを適用した後にＳＴＡ間干渉(ｉｎｔｅｒｆｅｒｅｎｃｅ)を推定する。
【００９９】
このように、干渉推定をした後、ＡＰは９０４ステップで必要とする性能を満たすＳＴＡであるかを検査する。このような検査は、ＳＴＡ間干渉(ｉｎｔｅｒｆｅｒｅｎｃｅ)増加によりチャネル推定エラーが増加することによって要求される性能を満たさないＳＴＡを区別するためである。即ち、要求される性能を満たさないＳＴＡは、ＬＴＦを分離し、要求される性能を満たすＳＴＡは、ＬＴＦを分離しないためである。
【０１００】
９０４ステップの検査結果を満たす場合、即ち、ＶＨＴ−ＬＴＦを分離しない場合にはＭｏｄｅ ａに動作し、この場合、ＡＰは９０６ステップに進行して推定されたＳＴＡのＳＩＮＲを用いてＶＨＴ−ＳＩＧ−ＤのＭＣＳを決定する。推定されたＳＩＮＲが高い場合にはＶＨＴ−ＳＩＧ−ＤにＢＰＳＫの代りにより高いＭＣＳを適用し、推定されたＳＩＮＲが低い場合には最も低いＭＣＳを送信する。
【０１０１】
反面、９０４ステップの検査結果を満たさない場合、即ち、ＶＨＴ−ＬＴＦを分離する場合にはＭｏｄｅ ｂに動作し、この場合、ＡＰは９０８ステップに進行してＡＰが分離するＳＴＡの移動性(ｍｏｂｉｌｉｔｙ)、遅延拡散(ｄｅｌａｙ ｓｐｒｅａｄ)、信号干渉対雑音比(ＳＩＮＲ)情報などを用いて適切な分離モード(ｃｏｏｒｄｉｎａｔｉｏｎ ｍｏｄｅ)を選択することができる。
【０１０２】
例えば、遅延拡散(ｄｅｌａｙ ｓｐｒｅａｄ)が大きい場合、ＡＰはＭｏｄｅ ｂ−３を適用し、遅延拡散(ｄｅｌａｙ ｓｐｒｅａｄ)が小さい場合、ＡＰはＭｏｄｅ ｂ−４を適用する。また、ＳＮＲが低く、遅延拡散(ｄｅｌａｙ ｓｐｒｅａｄ)が大きい場合、ＡＰは同時送信ユーザ数を減らし、Ｍｏｄｅ ｂ−３を適用してデスプレッディング(ｄｅｓｐｒｅａｄｉｎｇ)による利得を得ることができる。
【０１０３】
以後、ＡＰは、９１０ステップに進行してＶＨＴ−ＬＴＦ/ＶＨＴ−ＳＩＧの繰り返し可否及び回数を決定することができる。即ち、ＡＰは、ＬＴＦを分離する場合にはチャネル推定性能を追加に向上させるためにＬＴＦを繰り返す(ｒｅｐｅｔｉｔｉｏｎ)ことができるため、これに対する回数を決定する。また、ＡＰは、ＶＨＴ−ＳＩＧ−Ｄを繰り返して専用制御シグナル(ｄｅｄｉｃａｔｅｄ ｃｏｎｔｒｏｌ ｓｉｇｎａｌ)の検出(ｄｅｔｅｃｔｉｏｎ)確率を高めることができる。
【０１０４】
以上のように、９０６ステップ又は９１０ステップで送信のためのモード(ｍｏｄｅ)及び繰り返しなどに対する決定が行われると、ＡＰは、９１２ステップに進行してＰＰＤＵフォーマットを決定し、それによってＰＰＤＵを構成して送信する。
【０１０５】
前述した図２のように、Ｍｏｄｅ ａにおいて、１１ａ/ｇ/ｎ/ＶＨＴ混合モード(ｍｉｘｅｄ ｍｏｄｅ)での受信端は、次のように動作する。
【０１０６】
まず、図２の(ａ)に対して説明する。
【０１０７】
１)受信端は、Ｌ−ＳＴＦを介してキャリアセンシング(Ｃａｒｒｉｅｒ ｓｅｎｓｉｎｇ)、自動利得制御(ＡＧＣ)、時間同期化(ｔｉｍｉｎｇ ｓｙｎｃ.)、概略的な周波数オフセット推定(ｃｏａｒｓｅ ｆｒｅqｕｅｎｃｙ ｏｆｆｓｅｔ ｅｓｔｉｍａｔｉｏｎ)を実行する。
【０１０８】
２)以後、受信端は、Ｌ−ＬＴＦを介して正確な周波数オフセット推定(ｆｉｎｅ ｆｒｅqｕｅｎｃｙ ｏｆｆｓｅｔ ｅｓｔｉｍａｔｉｏｎ)とチャネル推定を実行する。
【０１０９】
３)その後、受信端は、Ｌ−ＬＴＦを用いたチャネル推定値を用いてＬ−ＳＩＧを復調する。
【０１１０】
４)以後、受信端は、ＨＴ−ＳＩＧを検出(ｄｅｔｅｃｔｉｏｎ)する方法(ＢＰＳＫ ｐｈａｓｅ ｒｏｔａｔｉｏｎ)を用いてＨＴ−ＳＩＧを検出し、Ｌ−ＬＴＦのチャネル推定値を用いて復調する。
【０１１１】
５)以上の過程を実行した後、受信端は、ＶＨＴ−ＳＩＧ−Ｃを検出する方法(ＢＰＳＫ ｐｈａｓｅ ｒｏｔａｔｉｏｎ)を用いてＶＨＴ−ＳＩＧ−Ｃを検出し、Ｌ−ＬＴＦのチャネル推定値を用いて復調する。
【０１１２】
６)また、受信端は、ＶＨＴ−ＳＴＦを用いてビーム形成(Ｂｅａｍｆｏｒｍｉｎｇ)されたマルチユーザ(ｍｕｌｔｉ−ｕｓｅｒ)ＭＩＭＯ信号の自動利得制御(ＡＧＣ)を実行する。
【０１１３】
７)以後、受信端は、ＶＨＴ−ＳＩＧ−ＣのＶＨＴ−ＬＴＦの構造に対する情報を用いてＶＨＴ−ＬＴＦを介してマルチユーザ(Ｍｕｌｔｉ−ｕｓｅｒ)ＭＩＭＯチャネルを推定する。
【０１１４】
８)その後、受信端は、ＶＨＴ−ＳＩＧ−Ｃが指示するＶＨＴ−ＳＩＧ−Ｄに対する情報とＶＨＴ−ＬＴＦを用いたチャネル推定値からＶＨＴ−ＳＩＧ−Ｄを復調する。
【０１１５】
９)これを介して受信端は、ＶＨＴ−ＳＩＧ−Ｄのデータに対する情報を用いてデータを復調する。
【０１１６】
次に、図２の(ｂ)に対して説明する。ここで、図２の(ｂ)は図２の(ａ)と比べる時、１)〜４)の過程は同様である。従って、以後の過程のみ説明する。
【０１１７】
５)Ｌ−ＳＩＧを復調した後、受信端は、ＶＨＴ−ＳＴＦを用いてＡＧＣを実行する。
【０１１８】
６)以後、受信端は、ＶＨＴ−ＳＩＧ−Ｃを検出する方法(ＢＰＳＫ ｐｈａｓｅ ｒｏｔａｔｉｏｎ)を用いてＶＨＴ−ＳＩＧ−Ｃを検出し、Ｌ−ＬＴＦのチャネル推定値を用いて復調する。
【０１１９】
７)その後、受信端は、ＶＨＴ−ＳＴＦを用いてビーム形成(Ｂｅａｍｆｏｒｍｉｎｇ)されたマルチユーザ(ｍｕｌｔｉ−ｕｓｅｒ)ＭＩＭＯ信号のＡＧＣを実行する。
【０１２０】
８)また、受信端は、ＶＨＴ−ＳＩＧ−ＣのＶＨＴ−ＬＴＦの構造に対する情報を用いてＶＨＴ−ＬＴＦを介してマルチユーザ(Ｍｕｌｔｉ−ｕｓｅｒ)ＭＩＭＯチャネルを推定する。
【０１２１】
９)その後、受信端は、ＶＨＴ−ＳＩＧ−Ｃが指示するＶＨＴ−ＳＩＧ−Ｄに対する情報とＶＨＴ−ＬＴＦを用いたチャネル推定値からＶＨＴ−ＳＩＧ−Ｄを復調する。
【０１２２】
１０)また、受信端は、ＶＨＴ−ＳＩＧ−Ｄのデータに対する情報を用いてデータを復調する。
【０１２３】
次に、図２の(ｃ)に対して説明する。図２の(ｃ)も図２の(ａ)と比べる時、１)〜４)の過程は同様であるため、省略する。
【０１２４】
５)Ｌ−ＳＩＧを復調した後、受信端は、ＶＨＴ−ＳＴＦを用いてＡＧＣを実行する。
【０１２５】
６)以後、受信端は、ＶＨＴ−ＬＴＦを用いてチャネル推定を実行する。
【０１２６】
７)また、受信端は、ＶＨＴ−ＳＩＧ−Ｃを検出する方法(ＢＰＳＫ ｐｈａｓｅ ｒｏｔａｔｉｏｎ)を用いてＶＨＴ−ＳＩＧ−Ｃを検出し、ＶＨＴ−ＬＴＦのチャネル推定値を用いて復調する。
【０１２７】
８)その後、受信端は、ＶＨＴ−ＳＴＦを用いてビーム形成(Ｂｅａｍｆｏｒｍｉｎｇ)されたマルチユーザ(ｍｕｌｔｉ−ｕｓｅｒ)ＭＩＭＯ信号のＡＧＣを実行する。
【０１２８】
９)以後、受信端は、ＶＨＴ−ＳＩＧ−ＣのＶＨＴ−ＬＴＦの構造に対する情報を用いてＶＨＴ−ＬＴＦを介してマルチユーザ(Ｍｕｌｔｉ−ｕｓｅｒ)ＭＩＭＯチャネルを推定する。
【０１２９】
１０)また、受信端は、ＶＨＴ−ＳＩＧ−Ｃが指示するＶＨＴ−ＳＩＧ−Ｄに対する情報とＶＨＴ−ＬＴＦを用いたチャネル推定値からＶＨＴ−ＳＩＧ−Ｄを復調する。
【０１３０】
１１)これによって、受信端は、ＶＨＴ−ＳＩＧ−Ｄのデータに対する情報を用いてデータを復調する。
【０１３１】
次に、図２の(ｄ)に対して説明する。図２の(ｄ)も図２の(ａ)の場合と比べる時、１)〜３)の過程は同様であるため、省略する。
【０１３２】
４)Ｌ−ＳＩＧを復調した後、受信端は、ＶＨＴ−ＳＩＧ−Ｃを検出する方法(ＢＰＳＫ ｐｈａｓｅ ｒｏｔａｔｉｏｎ)を用いてＶＨＴ−ＳＩＧ−Ｃを検出し、Ｌ−ＬＴＦのチャネル推定値を用いて復調する。
【０１３３】
５)以後、受信端は、ＶＨＴ−ＳＴＦを用いてビーム形成されたマルチユーザ(ｍｕｌｔｉ−ｕｓｅｒ)ＭＩＭＯ信号のＡＧＣを実行する。
【０１３４】
６)その後、受信端は、ＶＨＴ−ＳＩＧ−ＣのＶＨＴ−ＬＴＦの構造に対する情報を用いてＶＨＴ−ＬＴＦを介してマルチユーザ(Ｍｕｌｔｉ−ｕｓｅｒ)ＭＩＭＯチャネルを推定する。
【０１３５】
７)また、受信端は、ＶＨＴ−ＳＩＧ−Ｃが指示するＶＨＴ−ＳＩＧ−Ｄに対する情報とＶＨＴ−ＬＴＦを用いたチャネル推定値からＶＨＴ−ＳＩＧ−Ｄを復調する。
【０１３６】
８)これによって、受信端は、ＶＨＴ−ＳＩＧ−Ｄのデータに対する情報を用いてデータを復調する。
【０１３７】
以上で説明したように、Ｍｏｄｅ ａでの１１ｎ/ＶＨＴ混合モード(ｍｉｘｅｄ ｍｏｄｅ)/ＶＨＴグリーンフィールドモード(Ｇｒｅｅｎｆｉｅｌｄ ｍｏｄｅ)とＭｏｄｅ ｂでの混合モード(ｍｉｘｅｄ ｍｏｄｅ)とグリーンフィールドモード(Ｇｒｅｅｎｆｉｅｌｄ  ｍｏｄｅ)の受信方式は、前記動作構造から容易に構成することができる。
【産業上利用可能性】
【０１３８】
高速の無線通信システムにおけるトレーニングシンボルを送信する場合に使われる。
【図８ａ】
0005380606.tif 000007
【図８ｂ】
0005380606.tif 000008
【図８ｃ】
0005380606.tif 000009
【図８ｄ】
0005380606.tif 000010
【図８ｅ】
0005380606.tif 000011
【図８ｆ】
0005380606.tif 000012
【図８ｇ】
0005380606.tif 000013
【図８ｈ】
0005380606.tif 000014
【図９】
0005380606.tif 000015
【図１】
0005380606.tif 000016
【図２】
0005380606.tif 000017
【図３】
0005380606.tif 000018
【図４】
0005380606.tif 000019
【図５】
0005380606.tif 000020
【図６】
0005380606.tif 000021
【図７ａ】
0005380606.tif 000022
【図７ｂ】
0005380606.tif 000023
【図７ｃ】
0005380606.tif 000024
【図７ｄ】
0005380606.tif 000025